【手続補正書】
【提出日】平成26年9月30日(2014.9.30)
【手続補正１】
【補正対象書類名】特許請求の範囲
【補正対象項目名】全文
【補正方法】変更
【補正の内容】
【特許請求の範囲】
【請求項１】
ユーザーインターフェースをナビゲートするための方法であって、
前記ユーザーインターフェースの少なくとも１つの要素及び少なくとも１つの近隣の定位をベクトル情報として表現するステップと、
前記ユーザーインターフェースをナビゲートするための動き情報の入力を受信するステップと、
前記動き情報をベクトル情報に変換するステップと、
前記受信された動き情報から変換された前記ベクトル情報を、前記少なくとも１つの要素及び前記少なくとも１つの近隣の前記定位を表現する前記ベクトル情報にマッピングするステップと、
を含む、前記方法。
【請求項２】
ユーザーが間をナビゲートする複数の要素を有するユーザーインターフェースを表示するステップをさらに含む、請求項１に記載の方法。
【請求項３】
前記表示されたユーザーインターフェースを更新して、前記少なくとも１つの要素及び前記少なくとも１つの近隣の前記定位にマッピングされた、前記受信された動き情報を反映するステップをさらに含む、請求項２に記載の方法。
【請求項４】
前記ベクトル情報が角度成分及び大きさ成分を含む、請求項１に記載の方法。
【請求項５】
前記少なくとも１つの要素及び前記少なくとも１つの近隣の前記定位を表現する前記ベクトル情報は、受け容れ角度及び大きさ閾値をさらに含む、請求項４に記載の方法。
【請求項６】
前記動き情報の入力がポインタベースのコントロール装置から受信される、請求項１に記載の方法。
【請求項７】
複数の要素及び前記複数の要素の近隣の前記定位が表現される、請求項１に記載の方法。
【請求項８】
前記受信された動き情報から変換された前記ベクトル情報を、前記少なくとも１つの要素及び前記少なくとも１つの近隣の前記定位を表現する前記ベクトル情報にマッピングする前記ステップが、
前記ユーザーインターフェース中のアクティブ要素を判定することと、
前記変換されたベクトル情報の前記角度成分が、前記アクティブ要素及び少なくとも１つの近隣の前記定位を表現する前記ベクトル情報の受け容れ角度の範囲にあるかどうかを判定することと、
前記変換されたベクトル情報の前記大きさ成分が、前記アクティブ要素及び前記少なくとも１つの近隣の前記定位を表現する前記ベクトル情報の大きさ閾値に適合するかどうかを判定することと、
前記変換されたベクトル情報の前記角度成分及び大きさ成分が前記受け容れ角度内且つ前記大きさ閾値内である場合に、前記近隣を新しいアクティブ要素とすることと、
を含む、請求項１に記載の方法。
【請求項９】
ユーザーインターフェースのナビゲーションを可能にするシステムであって、
ユーザーインターフェースを出力するように構成された出力インターフェースと、
前記ユーザーインターフェースをナビゲートするための動き情報を受信するように構成された入力インターフェースと、
前記ユーザーインターフェースの少なくとも１つの要素及び前記少なくとも１つの要素の近隣の定位をベクトル情報として表現し、前記受信された動き情報をベクトル情報に変換し、そして、前記受信された動き情報から変換された前記ベクトル情報を、前記少なくとも１つの要素及び前記少なくとも１つの要素の前記近隣の前記定位を表現する前記ベクトル情報にマッピングするように構成されたプロセッサと、
前記ベクトル情報を格納するように構成されたストレージと、
を備える電子装置を有する、前記システム。
【請求項１０】
前記出力インターフェースが出力した前記ユーザーインターフェースを表示するためのディスプレイをさらに備える、請求項９に記載のシステム。
【請求項１１】
前記ディスプレイは前記電子装置の一部である、請求項１０に記載のシステム。
【請求項１２】
前記入力インターフェースにより受信される前記動き情報を発生するように構成されたコントロール装置をさらに備える、請求項９に記載のシステム。
【請求項１３】
前記コントロール装置は前記電子装置の一部である、請求項１２のシステム。
【請求項１４】
コンピュータが読み取り可能なプログラムを有する、コンピュータが使用可能な記憶媒体であって、前記コンピュータが読み取り可能なプログラムは、コンピュータにより実行されたときに前記コンピュータに、
前記ユーザーインターフェースの少なくとも１つの要素及び前記少なくともひとつの要素の近隣の定位をベクトル情報として表現するステップと、
前記ユーザーインターフェースをナビゲートするための動き情報の入力を受信するステップと、
前記動き情報をベクトル情報に変換するステップと、
前記受信された動き情報から変換された前記ベクトル情報を、前記少なくとも１つの要素及び前記少なくとも１つの要素の前記近隣の前記定位を表現する前記ベクトル情報にマッピングするステップと、
を含む方法のステップを実行させる、前記記憶媒体。
【手続補正２】
【補正対象書類名】明細書
【補正対象項目名】００３６
【補正方法】変更
【補正の内容】
【００３６】
さらに、上での説明は単なる例としてしたものであり、本発明を、特許請求の範囲は別として、どのようなかたちであっても限定することを意図したものではない。
本発明の好ましい実施形態を、以下に示す。
付記１．ユーザーインターフェースをナビゲートするための方法であって、
前記ユーザーインターフェースの少なくとも１つの要素及び少なくとも１つの近隣の定位をベクトル情報として表現するステップと、
前記ユーザーインターフェースをナビゲートするための動き情報の入力を受信するステップと、
前記動き情報をベクトル情報に変換するステップと、
前記受信された動き情報から変換された前記ベクトル情報を、前記少なくとも１つの要素及び前記少なくとも１つの近隣の前記定位を表現する前記ベクトル情報にマッピングするステップと、
を含む、前記方法。
付記２．ユーザーが間をナビゲートする複数の要素を有するユーザーインターフェースを表示するステップをさらに含む、付記１に記載の方法。
付記３．前記表示されたユーザーインターフェースを更新して、前記少なくとも１つの要素及び前記少なくとも１つの近隣の前記定位にマッピングされた、前記受信された動き情報を反映するステップをさらに含む、付記２に記載の方法。
付記４．前記ベクトル情報が角度成分及び大きさ成分を含む、付記１に記載の方法。
付記５．前記少なくとも１つの要素及び前記少なくとも１つの近隣の前記定位を表現する前記ベクトル情報は、受け容れ角度及び大きさ閾値をさらに含む、付記４に記載の方法。
付記６．前記動き情報の入力がポインタベースのコントロール装置から受信される、付記１に記載の方法。
付記７．複数の要素及び前記複数の要素の近隣の前記定位が表現される、付記１に記載の方法。
付記８．前記受信された動き情報から変換された前記ベクトル情報を、前記少なくとも１つの要素及び前記少なくとも１つの近隣の前記定位を表現する前記ベクトル情報にマッピングする前記ステップが、
前記ユーザーインターフェース中のアクティブ要素を判定することと、
前記変換されたベクトル情報の前記角度成分が、前記アクティブ要素及び少なくとも１つの近隣の前記定位を表現する前記ベクトル情報の受け容れ角度の範囲にあるかどうかを判定することと、
前記変換されたベクトル情報の前記大きさ成分が、前記アクティブ要素及び前記少なくとも１つの近隣の前記定位を表現する前記ベクトル情報の大きさ閾値に適合するかどうかを判定することと、
前記変換されたベクトル情報の前記角度成分及び大きさ成分が前記受け容れ角度内且つ前記大きさ閾値内である場合に、前記近隣を新しいアクティブ要素とすることと、
を含む、付記１に記載の方法。
付記９．ユーザーインターフェースのナビゲーションを可能にするシステムであって、
ユーザーインターフェースを出力するように構成された出力インターフェースと、
前記ユーザーインターフェースをナビゲートするための動き情報を受信するように構成された入力インターフェースと、
前記ユーザーインターフェースの少なくとも１つの要素及び前記少なくとも１つの要素の近隣の定位をベクトル情報として表現し、前記受信された動き情報をベクトル情報に変換し、そして、前記受信された動き情報から変換された前記ベクトル情報を、前記少なくとも１つの要素及び前記少なくとも１つの要素の前記近隣の前記定位を表現する前記ベクトル情報にマッピングするように構成されたプロセッサと、
前記ベクトル情報を格納するように構成されたストレージと、
を備える電子装置を有する、前記システム。
付記１０．前記出力インターフェースが出力した前記ユーザーインターフェースを表示するためのディスプレイをさらに備える、付記９に記載のシステム。
付記１１．前記ディスプレイは前記電子装置の一部である、付記１０に記載のシステム。
付記１２．前記入力インターフェースにより受信される前記動き情報を発生するように構成されたコントロール装置をさらに備える、付記９に記載のシステム。
付記１３．前記コントロール装置は前記電子装置の一部である、付記１２のシステム。
付記１４．コンピュータが読み取り可能なプログラムを有する、コンピュータが使用可能な記憶媒体であって、前記コンピュータが読み取り可能なプログラムは、コンピュータにより実行されたときに前記コンピュータに、
前記ユーザーインターフェースの少なくとも１つの要素及び前記少なくともひとつの要素の近隣の定位をベクトル情報として表現するステップと、
前記ユーザーインターフェースをナビゲートするための動き情報の入力を受信するステップと、
前記動き情報をベクトル情報に変換するステップと、
前記受信された動き情報から変換された前記ベクトル情報を、前記少なくとも１つの要素及び前記少なくとも１つの要素の前記近隣の前記定位を表現する前記ベクトル情報にマッピングするステップと、
を含む方法のステップを実行させる、前記記憶媒体。